(57)【要約】【課題】プロジェクタの電磁波の外部放出を抑えつつ回路構成の自由度を向上させる技術を提供する。【解決手段】駆動回路ユニット６０は、出力回路と、電源回路３と、入力回路４とを備える。さらに、駆動回路ユニット６０には、それら回路を筒状に覆うようにして出力回路シールド５、入力回路シールド６及び電源回路シールド７が配置されている。電源回路３と入力回路４の間にはシールドが設けられていない。また、出力回路シールド５、入力回路シールド６及び電源回路シールド７は相互に電気的に導通している。【選択図】図４
2011108976.tif 000002
【特許請求の範囲】
【請求項１】
電源回路と映像回路とを備えるプロジェクタのシールド構造であって、
前記電源回路と前記映像回路とを一体で外側から覆うように設けたシールド手段を備えるとともに、
前記電源回路と前記映像回路との間に前記シールド手段を備えない
ことを特徴とするシールド構造。
【請求項２】
前記シールド手段は、前記電源回路及び前記映像回路を構成する基板に対して略平行に対向する面を有するとともに電気的に相互に導通して複数のサブシールドに分割されて構成されていることを特徴とする請求項１に記載のシールド構造。
【請求項３】
前記シールド手段は、接地用の端子に接続されることを特徴とする請求項１または２に記載のシールド構造。
【請求項４】
前記接地用の端子は、電源コネクタの接地用端子であることを特徴とする請求項３に記載のシールド構造。
【請求項５】
請求項１から４までのいずれかに記載のシールド構造を備えたことを特徴とするプロジェクタ。
【発明の詳細な説明】
【技術分野】
【０００１】
本発明は、シールド構造及びその様なシールド構造を備えたプロジェクタに関する。
【背景技術】
【０００２】
プロジェクタなどの電子機器においては筐体内に電源回路や光学系ユニット、入出力端子回路（映像回路）などが配置されており、それらの部品をシールドする構造が用いられている。プロジェクタなどの電子機器にとって電磁波の外部への放出（不要輻射）をいかに低減するかは製品性能上大きな問題点である。
【０００３】
そこで、電磁波の外部放出対策として様々な技術が提案されている。例えば、入力信号処理基板が数枚の基板に分離されておりそれぞれをシールド効果のあるアングルで接続する構造が開示されている（例えば、特許文献１参照）。また、電源供給基板（電源回路）をシールドするアングルを入出力基板まで延長し且つ電源コード接続端子と電源シールドとを固定する構造が開示されている（例えば、特許文献２参照）。
【先行技術文献】
【特許文献】
【０００４】
【特許文献１】特開２００５−７０５１６号公報
【特許文献２】特開２００８−２８８５２９号公報
【発明の概要】
【発明が解決しようとする課題】
【０００５】
ところで、特許文献１に開示の技術では、光学系ユニットや放熱板等の金属部材ならびに電源供給基板や電源用シールドとの固定に関しては特に言及されていない。また、特許文献２に開示の技術では、光学系ユニットや放熱板等の金属部材等との固定に関しては言及されていない。
【０００６】
本発明の目的は、上記課題に鑑み、プロジェクタの電磁波の外部放出を抑えつつ回路構成の自由度を向上させる技術を提供することにある。
【課題を解決するための手段】
【０００７】
本発明に係る装置は、シールド構造に関する。このシールド構造は、電源回路と映像回路とを備えるプロジェクタのシールド構造であって、前記電源回路と前記映像回路とを一体で外側から覆うように設けたシールド手段を備えるとともに、前記電源回路と前記映像回路との間にシールド手段を備えない。
また、前記シールド手段は、前記電源回路及び前記映像回路を構成する基板に対して略平行に対向する面を有するとともに電気的に相互に導通して複数のサブシールドに分割されて構成されてもよい。
また、前記シールド手段は、接地用の端子に接続されてもよい。
また、前記接地用の端子は、電源コネクタの接地用端子であってもよい。
本発明に係る別の装置は、プロジェクタに関する。このプロジェクタは、上記のシールド構造を備える。
【発明の効果】
【０００８】
本発明によれば、プロジェクタの電磁波の外部放出を抑えつつ回路構成の自由度を向上させることができる。
【図面の簡単な説明】
【０００９】
【図１】本発明の実施形態に係る、プロジェクタの斜視図である。
【図２】本発明の実施形態に係る、プロジェクタの主要構成を前から見た上面斜視図である。
【図３】本発明の実施形態に係る、プロジェクタの主要構成を前から見た下面斜視図である。
【図４】本発明の実施形態に係る、プロジェクタの主要構成を後から見た上面斜視図である。
【図５】本発明の実施形態に係る、出力回路シールド、入力回路シールド及び電源回路シールドを示した斜視図である。
【図６】本発明の実施形態に係る、投射レンズと電源回路シールドとを示した斜視図である。
【図７】本発明の実施形態に係る、駆動回路ユニットを示した分解斜視図である。
【発明を実施するための形態】
【００１０】
次に、本発明を実施するため形態（以下、単に「実施形態」という）を、図面を参照して具体的に説明する。本実施形態の概要は、電源回路、映像回路、光学系ユニットおよび放熱板を最適に配置してシールド手段で筒状に覆うことにある。そして、電源回路及び映像回路には、個別のシールド手段は設けていない。以下、詳細に説明する。
【００１１】
図１は、本実施形態に係るプロジェクタ３０の斜視図であり、内部構造を示すためにカバーを取り外して示している。プロジェクタ３０は、主に投射レンズ４０、光学レンズ５０、駆動回路ユニット６０、冷却ファンユニット７０とから構成されている。なお、本実施形態では、図示において左右方向をＸ軸、前後方向をＹ軸、上下方向をＺ軸の座標軸で示している。
【００１２】
図２〜図４は、本実施形態による主要な構成を抜き出した斜視図である。図２は、駆動回路ユニット６０及び投射レンズ４０を抽出して示した前から見た上面斜視図である。図３は、図２の構成の下面斜視図である。また、図４は、図２の構成の後ろから見た上面斜視図である。図５は、出力回路シールド５、入力回路シールド６及び電源回路シールド７を示した斜視図である。さらに、図６は、光学メカ１が接続されている状態の電源回路シールド７を示した図である。さらにまた、図７は、駆動回路ユニット６０の分解斜視図である。
【００１３】
図１及び図２に示すように、投射レンズ４０は、焦点調整機構等を有する光学メカ１を備えている。通常、光学メカ１は、金属が含まれて構成されている。また、図７の分解斜視図に示すように、駆動回路ユニット６０は、出力回路２と、電源回路３と、入力回路４と、フレーム２０とを備える。さらに、図２〜４に示すように、駆動回路ユニット６０には、それら回路（２，３，４）を筒状に覆うようにして、複数のサブシールドからなるシールド手段（５，６，７）が設けられている。具体的には、出力回路シールド５、入力回路シールド６及び電源回路シールド７が配置されている。出力回路シールド５、入力回路シールド６、電源回路シールド７の材質として、鉄（鋼板）、スズメッキ鋼板（ブリキ）、アルミ板、ステンレス板等を使用することができる。
【００１４】
ここで、出力回路２は、映像を投射レンズ４０に出力するための各種回路部品が樹脂製の基板上に配置されて構成されている。そして、出力回路２は、プロジェクタ３０の前面側（Ｙ正方向側）に垂直に配置されており、図２において右側（Ｘ負方向側）には投射レンズ４０が取り付けられ、投射レンズ４０が取り付けられない左側（Ｘ正方向側）には、前面を覆って出力回路シールド５が配置される。
【００１５】
電源回路３は、プロジェクタ３０の底面に設けられており、図４に示すように背面側（Ｙ負方向側）の電源コネクタ１５を介して取得する交流電源を所望の直流電源に変換して各構成要素に供給する。なお、電源回路３は、アルミ板等の金属のケースで覆われていない。電源コネクタ１５は、３極からなる接地極付コネクタである。そして、電源回路３をシールドする電源回路シールド７は、底面部７ａと背面部７ｂとの二つの面がＬ字形状となって一体となり構成されている。具体的には、底面部７ａが電源回路３の底面側を覆い、背面部７ｂが電源回路３の電源コネクタ１５が設けられている後方側を覆っている。背面部７ｂには、電源コネクタ１５や入力回路４の各種入力端子の形状に合わせた開口が形成されている。
【００１６】
入力回路４は、電源回路３の上方に樹脂製のフレーム２０（図７参照）によって固定され所望の位置に配置されている。入力回路４は、背面上側に複数の入力コネクタを備え、映像のデータ等を外部機器から取得し、出力回路２へ出力する。そして、入力回路４の上方には、入力回路４を覆う入力回路シールド６が設けられている。一方、入力回路４と電源回路３との間には、電磁波を遮断する金属のシールド板は設けられていない。
【００１７】
このようにして、出力回路シールド５、入力回路シールド６及び電源回路シールド７が筒状に配置される。そして、その筒状の内部に出力回路２、電源回路３及び入力回路４が最適に配置されることで駆動回路ユニット６０及びシールド構造が最小化されている。
【００１８】
さらに、出力回路シールド５、入力回路シールド６及び電源回路シールド７は各部でビス等を利用して接続されている。具体的には、主に図３及び図５に示すように、出力回路シールド５と電源回路シールド７は、左右の接続部８ａ，８ｂで接続され電気的に通電している。接続部８ａ，８ｂにおいて、出力回路シールド５に設けられている部位が接続部８ａ５，８ｂ５であり、電源回路シールド７に設けられている部位が接続部８ａ７，８ｂ７である。
【００１９】
また、主に図３および図４に示すように、光学メカ１と電源回路シールド７が接続部９ａ，９ｂで接続され電気的に通電している。接続部９ａ，９ｂにおいて、光学メカ１に設けられている部位が接続部９ａ１，９ｂ１であり、電源回路シールド７に設けられている部位が接続部９ａ７，９ｂ７である。
【００２０】
さらに、主に図４に示すように、入力回路シールド６と電源回路シールド７が接続部１０ａ，１０ｂで接続され電気的に通電している。接続部１０ａ，１０ｂにおいて、入力回路シールド６に設けられている部位が接続部１０ａ６，１０ｂ６であり、電源回路シールド７に設けられている部位が接続部１０ａ７，１０ｂ７である。
【００２１】
さらにまた、主に図５に示すように、出力回路シールド５と入力回路シールド６が接続部１１ａ〜１１ｃで接続され電気的に通電している。接続部１１ａ〜１１ｃにおいて、出力回路シールド５に設けられている部位が接続部１１ａ５〜１１ｃ５であり、入力回路シールド６に設けられている部位が接続部１１ａ６〜１１ｃ６である。
【００２２】
そして、図５及び図６に示すように、電源回路シールド７上に放熱板接続バネ１２が設けられており、放熱板接続バネ１２を介して電源回路シールド７と放熱板１３が電気的に通電している。なお、放熱板接続バネ１２は電源回路シールド７の一部を切り起こして一体化して形成されてもよい。
【００２３】
これらの構成により、出力回路シールド５、入力回路シールド６及び電源回路シールド７はそれぞれの接続部を介して電気的に通電する。その結果、電磁波の発生源となる駆動回路ユニット６０、投射レンズ４０（特に光学メカ１）、放熱板１３を包み込むように配置されるため効果的に電磁波を低減することが出来る。さらに、出力回路シールド５、入力回路シールド６及び電源回路シールド７は、電源コネクタ１５を介して接地されるので、この観点でも、電磁波の外部放出が低減できる。また、ユニット（２，３，４）個々にシールド対策を施す必要がないため、プロジェクタ３０の小型化が容易となる。なお、出力回路シールド５、入力回路シールド６及び電源回路シールド７は、電源コネクタ１５以外の手段によって接地されてもよい。
【００２４】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、出力回路２と入力回路４とが一体となって映像回路として設けられる場合があり、その場合は、その映像回路を覆うシールド手段が設けられればよい。つまり、出力回路２が入力回路４に含まれる構成であれば、出力回路シールド５は不要となる。また、本実施形態では。プロジェクタ３０の側面にはシールド手段が設けられていない。これは、このような構成であっても十分に電磁波の外部放出を遮断できることが確認できているためであるが、必要に応じて、シールド手段が設けられてもよい。シールド手段が必要とされるケースとしては、例えば側面が大きな面積となっている場合や、側面近傍に電磁波を発生する部品が配置されている場合などが想定される。
【符号の説明】
【００２５】
１  光学メカ
２  出力回路
３  電源回路
４  入力回路
５  出力回路シールド
６  入力回路シールド
７  電源回路シールド
１２  放熱板接続バネ
１３  放熱板
１５  電源コネクタ
２０  フレーム
３０  プロジェクタ
４０  投射レンズ
５０  光学レンズ
６０  駆動回路ユニット
７０  冷却ファンユニット
【図１】
2011108976.tif 000003
【図２】
2011108976.tif 000004
【図３】
2011108976.tif 000005
【図４】
2011108976.tif 000006
【図５】
2011108976.tif 000007
【図６】
2011108976.tif 000008
【図７】
2011108976.tif 000009